(57)【特許請求の範囲】
【請求項１】
取付基板に開設する飛入口に開閉自由に蝶着される開閉扉と、前記飛入口の後方に備えられるソレノイドと、該ソレノイドのプランジャと前記開閉扉との間に介挿される連動部材とを有し、前記ソレノイドのプランジャの伸縮動を前記連動部材の揺動を介して前記開閉扉に伝えることにより前記飛入口を開閉するようにした可変入賞装置であって、前記連動部材の外側方に該連動部材の側面を被う防護板を近接して立設し、該防護板によって外部から前記連動部材の外側方に不正操作部材を侵入させ該連動部材に対して行われる不正操作を阻止し、防護するものにおいて、前記連動部材は支軸を支点に揺動する揺動板からなり、また前記防護板は前記揺動板の前記支軸を保持する軸受部を一体に備えて該防護板の入賞装置本体部への固定に併せて前記支軸を前記軸受部と前記入賞装置本体部との間で狭持することにより固定することを特徴とした可変入賞装置。
【発明の詳細な説明】
【技術分野】
【０００１】
本発明は、パチンコ機の入賞装置に関するもので、特に飛入口にソレノイドによって開閉動する開閉扉を備えてなるパチンコ機の可変入賞装置に関する。
【背景技術】
【０００２】
ソレノイドによって開閉する扉を備えた入賞装置は、常には扉を閉じた状態に保って打球の飛入を阻止し、予め設定する条件が成就する等して打球の受け入れが可能になったとき扉を前方に棚状に倒して張り出すようにして落下する打球を受け止め短時間に多量の入賞球の飛入が得られるようにしてある。
この扉を備えた入賞装置は打球の飛入が扉の開閉によって異なることから一般に可変入賞装置と称されているが、更に扉の開放時に上述のように多数の入賞球が一時期に得られることから他の入賞装置と区別して大入賞口、乃至大入賞装置等とも呼ばれている。
【０００３】
通常大入賞口と呼ばれるこの種扉を備えた入賞装置は遊技盤面に形成される遊技部において、最下部に形成されるアウト球口の直上に設置されるのが普通であり、盤面を落下した打球が最も集り易い場所にあって扉を開放したとき効率よく打球を拾い集め入賞球とすることができるようにしている。
この様に上記入賞装置は扉の開放によって短時間に多くの入賞球を獲得できることに加えて遊技部の最下部、つまり遊技盤の最下端に近い部所に設置されることから、しばしば外部からピアノ線等の不正操作部材を侵入させ、扉を作動する駆動手段に対して、或は駆動手段と扉を連絡する連動手段に対して不正な操作を加え、賞球の不正放出が行われることがある。
【０００４】
この大入賞口に対する不正操作は短時間に多量の入賞球を発生させるため被害が大きく、従ってこの不正行為対策は極めて重要な解決課題となっている。
従来、この解決策の一つとして入賞装置の扉を駆動するソレノイドの金属製の放熱板を大型化してソレノイドと扉とを連絡する連動部分を被い、外部からこの連動部分に対する不正行為を排除する方法が提案されている（例えば、特許文献１）。
【０００５】
この放熱板による防護方法は、特許文献１によればソレノイド２１に取付けられる放熱板２２から延設して複数の平面部３０，３１，３２を設け、これらによってソレノイド２１の励磁によって伸縮する可動片２３と、この可動片２３と開閉扉３ａとを連結して開閉動せしめるロッド２４の周囲を被い、外部から上記可動片２３、ロッド２４が不正操作されるのを防止する構造になっている。
【特許文献１】特開２０００−１２６４１２号公報、発明の詳細な説明の項中、段落００１０から００１７、及び図面の図３、図５、図６。
【０００６】
上記従来法は、ソレノイド２１に一体に取付けられる放熱板２２から直接延設する平面部３０，３１，３２によって可動片２３、ロッド２４を被う構造に係ることから接近した位置で囲むことができ、ピアノ線等の侵入の隙間を作ることが少なく効果的に防護できるものとなっている。
しかし、一つの難点はソレノイド２１を小型化したとき、これに伴って小型化する放熱板２２に複数の平面部３０，３１，３２を一体的に形成するのが困難になることである。
【０００７】
近時、遊技盤の中央部に設置される可変表示装置の大型化により、可変入賞装置（大入賞口）の設置空間が狭くなり、必然的に可変入賞装置の小型化が進む傾向にある。
この様なことから小さなソレノイドが求められ、放熱板自体の小型化が進むことに伴ってプレス機等による屈曲成形が頻雑になり、またねじ止めのためのねじ穴加工等が面倒になる等の問題が生じている。
【発明の開示】
【発明が解決しようとする課題】
【０００８】
本発明は、上述の事情に鑑み、小型化する入賞装置に対応する不正行為防止手段を備えた改善された入賞装置、とり分け開閉する扉を備えてなる可変入賞装置を提供しようとするものである。
また、本発明の他の目的は入賞装置の主要部がプラスチックを材料に複数の部品として各射出成形され、これを組合せることによって製造されることに鑑み、不正行為防止の手段を同じくプラスチックによる成形品にして前記主要部の組立に併せて組付け、入賞装置の製造が行えるようにしたことにある。
【課題を解決するための手段】
【０００９】
本発明は、上記目的を達成するため飛入口に開閉自由に蝶着される開閉扉と、飛入口の後方に備えられるソレノイドとを連結し、ソレノイドのプランジャの伸縮動を前記開閉扉に伝え、これを開閉動する連動部材の側方に防護板を立設し、連動部材の側面を被覆してピアノ線等不正操作部材による上記連動部材への不正操作を阻止するようにした入賞装置を提供することにある。
【００１０】
更に本発明を詳述すれば、請求項１の発明は飛入口に開閉自由に蝶着さける開閉扉と、前記飛入口の後方に備えられるソレノイドとを有し、前記ソレノイドのプランジャの伸縮動を連動部材を介して前記開閉扉に伝え、前記飛入口を開閉するようにした可変入賞装置において、前記連動部材の側方に防護板を立設し、該連動部材の側面を被覆防護することを特徴とした可変入賞装置を提供することにある。
【００１１】
また、請求項２の発明は、前記連動部材は支軸を支点に揺動する揺動板にする一方、防護板には前記支軸を保持する軸受部を一体に備え、該防護板の入賞装置本体部への固定に併せて前記支軸を固定することを特徴とした可変入賞装置を提供することにある。
【００１２】
可変入賞装置において、飛入口に備えられる開閉扉は入賞装置本体部の後部に備えるソレノイドによって開閉動されるのが普通であり、この両者の間を連動部材によって連結し、ソレノイドの動作を開閉扉に伝えるようにしている。
上記連動部材はソレノイドのプランジャの伸縮運動を開閉扉の揺動運動に変えるため支軸を支点に揺動する揺動腕としていることが一般的である。このため不正行為はこの連動部材を目標にピアノ線等を侵入させ、引っ掛けて外部から押し引きの操作を繰り返して揺動させ不正行為を行うことになる。
【００１３】
本発明は、このことから前記連動部材の側面を防護板で被い、侵入するピアノ線等の操作部材がこの連動部材に到達するのを阻止し、不正行為を未然に防止することにある。
上記連動部材に対する不正行為は、入賞装置の設置位置に加えて構造上の問題から発生しているとも言える。つまり、開閉扉は横長に形成され、飛入口を被うことから後方に設備されるソレノイドと連絡する場合、この飛入口を避けた側端が都合よく、このため入賞装置本体部の後部に設けられるソレノイドとを連絡する連動部材はこの入賞装置本体部の側部に配置されることになる。このため必然的に露出することになり、ピアノ線による操作を容易に受けることになる。
【００１４】
本発明は、この入賞装置本体部の側部に露出する連動部材に対して、その側方に防護板を立ち上げて入賞装置に達するピアノ線等の不正操作部材の接触を阻止し、防護することにある。
尚、上記防護板は連動部材の露出する側面を被い隠す大きさであることが求められるが、望ましくは連動部材に加えてソレノイドのプランジャを被う大きさ、及び形状であることが求められる。
【００１５】
一方、この防護板は入賞装置の主要各部をプラスチック材料とすることに併せて同一の材料による射出成形品とすることが有効であり、望まれる。
防護板は連動部材の側方に立設するため、その固定の対象を入賞装置本体部に置くことになり、この本体部に固定する部所を備えることになる。このようなことから防護板は形状が複雑化することになるが、製造上プラスチックを材料にして射出成形品にすることによってこれを解消することができる。
【００１６】
また、本発明は防護板を上述の如くプラスチックの成形品にすることに加え、入賞装置本体部に固定する際に、連動部材を揺動自由に支持する支軸を入賞装置本体部との間で狭持し、自らの固定に併せて支軸の軸着固定を図り、組立を効率化している。そして、この固定を通して連動部材に最も近接した位置に防護板を取付けられるようにしているのである。
【発明の効果】
【００１７】
本発明入賞装置は上述の如く、ソレノイドによって作動される連動部材の側面を近接して設ける防護板によって被うことから、ピアノ線等の不正操作部材による操作を阻止することができる。
そして、この防護板は前記連動部材の入賞装置本体部に対する組付けに併せて、同時に行うことができることから作業性に優れると共に、最も接近した位置に設置することができることから不正操作部材の侵入空間を更に小さくすることができ、効果的に防護できる利点を有する。
【発明を実施するための最良の形態】
【００１８】
遊技盤に取付けるための取付基板と、この取付基板に開設する飛入口を通して飛入する入賞球を受け入れる入賞球室（振り分け室）を備えると共に、前記飛入口に開閉自由に蝶着支持する開閉扉を開閉動するソレノイドを固定する入賞装置本体部とを、それぞれプラスチックを材料に個別に形成する。
前記開閉扉は下縁を前記飛入口の下縁に添わせてその両端部に設ける支軸を取付基板前面に設ける軸受部に回動自由に軸承させて蝶着支持させ、且つ一方の端部背面から飛入口を通して滑合腕を延設する。
【００１９】
その一方、前記入賞装置本体部には一側後部に前記ソレノイドを取付ける。そして、そのプランジャを前方に位置する前記開閉扉の滑合腕に向けて突き出すように配置し、このプランジャと滑合腕との間に前後に伸縮動するプランジャの運動を開閉扉の揺動運動に変換する連動部材を介挿する。
【００２０】
連動部材は略三角形状をなす板材から構成してその一つの頂部を入賞装置本体部に支軸を介して回動自由に軸承させ、他の頂部に前記プランジャの先端をピンを介して回動自由に連結する。これによりプランジャの前後の伸縮動によって前記支軸を支点に上下に揺動することになる他の頂部に前方に向けて開口する滑合凹部を形成し、この凹部に前記開閉扉の滑合腕の先端を滑合させ、前記ソレノイドと開閉扉との連結を行う。
【００２１】
この連動部材による上記連結に当っては、前記取付基板の背面に入賞装置本体部の前面を当接して相互をねじ止めする等して一体に結合させ組立ることになる。
そして、この組立に合せて前記連動部材の側方にはこの連動部材の側面とプランジャの側面を被う防護板を立ち上り状に付設する。
【００２２】
上記防護板は板状にして連動部材及びプランジャの露出する側面を被う大きさに形成する。また、この防護板には入賞装置本体に取付けるための固定部を下縁部から横方向に突き出すように一体に備え、これを前記入賞装置本体部の背面部にねじ止めする。
このねじ止めに当っては、入賞装置本体部の背面のねじ止め部所に予め横方向の受部を形成しておき、この受部に前記連動部材を支持する支軸を嵌め入れ、その後前記防護板の固定部を添わせてねじ止めし、防護板の取付けと同時に連動部材の取付作業を行うようにする。
【００２３】
本発明は上記の構成から、ソレノイドのプランジャ、並びにこのプランジャによって作動され開閉扉を開閉動する連動部材の露出する側面を防護板によって被覆することができ外部からこれらの作動部分に向けてピアノ線等の不正操作部材の侵入に対して、これの接触を阻止することができ、不正行為を未然に防止することができる。
次に、実施例の説明を通してその構成並びに作用効果を具体的に説明し、併せてその他の特徴を明らかにする。
【実施例】
【００２４】
図面は本発明に係る入賞装置の実施例を示したものである。図１は遊技盤に装着した状態の正面図、図２は拡大正面図であり、図３は斜視図、図４は平面図、図５は分解斜視図、図６及び図７はそれぞれ図５の部分を拡大して示した分解斜視図である。
図示する遊技盤１は、前面に打球を誘導する内外のレール２，３を配置し、更にこれらのレールに連続させて半円弧状に飾り枠４を配置して円形状に囲み遊技盤１の中央部に遊技部５を形成している。そして、この遊技部５の上部中央部に大型の画面６を有する可変表示装置７を備え、この可変表示装置７を囲むようにして複数の入賞口８‥と風車９を配置し、前記画面６の直下には始動用入賞口１０を、そしてこの始動用入賞口１０の下に本発明に係る可変入賞装置１１を配置している。
【００２５】
可変入賞装置１１（以下、単に入賞装置と記す。）は、所謂大入賞装置として短時間に多量の入賞球の受け入れを可能にしたものであり、図示するように遊技盤１に取付けるための取付基板１２の中央部には飛入口１３を開設し、この飛入口１３には開放時に多くの打球を短時間に受け入れる開閉扉１４を備える。
飛入口１３は横長に開設してあり、開閉扉１４はこの飛入口１３の形状に合せて横長の板にしてあり、下端の両側を支軸１５，１５を介して飛入口１３の両側下端に設ける軸受部１６，１６に枢着支持し、上記支軸１５，１５を支点にして上端を前後に揺動させるべく蝶着支持するようにしてある。
【００２６】
前記飛入口１３の内側、即ち取付基板１２の背面側には飛入球を受け入れ、異なる入賞口通路に振り分ける入賞室、つまり振り分け室１７を形成し、この振り分け室に振り分け台１８を備えている。
上記振り分け室１７は飛入口１３に合せて横長に形成してあり、その奥行き幅をパチンコ球が容易に飛入できる幅、具体的にはパチンコ球の直径の２倍を超えない幅を以て形成してある。
【００２７】
図中、１９は前記振り分け室１７を形成し、併せて駆動源となる２つのソレノイド２０，２１、並びに入賞球の通過を検出する検出スイッチ２２，２３を取付けるためのブロック状をなす入賞装置本体部を形成する台枠であり、２４はこの台枠１９と協同して前記振り分け室１７を形成する底枠である。
台枠１９は左右の側板２５，２６の上端間に上板２７を渡し、背面に背板２８を渡して開放する底部に前記底枠２４を嵌め付け、前方を開放した横長の箱形に形成して振り分け室１７を形成することになる。
【００２８】
上記背板２８から突き出す２本のボス部２９，２９は、前記底枠２４をネジ止めするための台であり、台枠１９と底枠２４をねじ止めすることによって結合させたのち、背板２８に植設する支軸３０を振り分け台１８の底面に形成する軸受１８ｃに通してこれを揺動自由に取付け、振り分け室１７に収める。
【００２９】
前記一方のソレノイド２０は、振り分け台１８を揺動させるための駆動源であり、このソレノイド２０は取付金具３１を介して前記台枠１９の後部に固定される。
このソレノイド２０のプランジャ３２には支軸３３を介して台枠１９に軸承されるＬ字形の連結腕３４の一端がピン３５によって接続され、この連結腕３４の他端３４ａが振り分け台１８の左端の後部に突き出す突起３６に臨むようにしてある。
【００３０】
連結腕３４の上記他端３４ａは、断面コ字形に形成してあり、この凹部に前記突起３６を緩く嵌合して連結し（図７参照）、前記ソレノイド２０の励磁によってプランジャがばね３７に抗して引かれたとき、支軸３３を支点に前記他端３４ａを跳ね上げて前記突起３６を押し上げ、下降している振り分け台１８の左端を上昇させられるようにしてある。
【００３１】
図中３８は、振り分け室１７の背板２８の左端を切り欠いて形成した一般入賞口であり、３９は同じく右端に形成した特別入賞口である。
これらの入賞口３８，３９は振り分け台１８の端部に臨んで開設してあり、それぞれには通過する入賞球を検出 するための検出 スイッチ２２，２３を装着するための溝形をなす装着部４０，４１が設けてある。
【００３２】
振り分け台１８は、飛入口１３から飛び込む球をその傾きによって振り分け室１７の左右に振り分け、前記一般入賞口３８若しくは特別入賞口３９に誘導するものであり、図示するように左右方向に長さを有し、中央の軸受部１８ｃに通す支軸３０を支点にして左右両端を上下に揺動できるようにしてある。
この振り分け台１８は当然のことながら振り分け室１７の奥行き幅より狭い奥行き幅を以て形成してあり、その上面は略中央部を境にして後部１８ａと前部１８ｂに分けてこの間に段差を設け、前部１８ｂの上面を整列用通路部４２としている。
【００３３】
この実施例における振り分け台１８は上面の前後の幅員を略パチンコ球の直径（１１ｍｍ）に揃えてあり、この内、後部１８ａの奥行き幅はその半径、つまり５．５ｍｍ以下の幅にしてこの部分にパチンコ球が止まるのを困難にしてある。そして、上記後部と前部の段差を２ｍｍ以上に設定し、後部１８ａから前部１８ｂに向けて確実に落下すると共に、前部１８ｂの上面、即ち整列用通路部４２に一旦移行した球が再度後部上面に戻らないようにしてある。
【００３４】
上記前後の段差は、左右方向のほぼ全長に亘り形成してあり、振り分け台の上面のいずれに球が乗ってもこの段差によって通路部４２側に転がり移動するようにしてある。
また、この実施例では振り分け室１７の両端に形成される入賞口３８，３９が後向きに開口することに合せて上記段部の両端を斜め後方に後退させて後部１８ａの両端前縁部分を傾斜縁部４３，４４としている。
尚、上記傾斜縁部についてこの実施例では両端に形成する場合につき示しているが、一般入賞口３８と特別入賞口３９との間に入賞率に差を設けるため多くの入賞球を誘導する一般入賞口３８側にだけ設けることもある。また、ここではこの入賞率の関係から特別入賞口３９側の端部を他端より僅かに長く形成して振り分け台１８の傾きに関わらず、常に特別入賞口３９を一般入賞口３８よりも入り難くしてある。
【００３５】
さて、上記形成される各部は、入賞装置本体部となる台枠１９を中心にして組立て、この台枠１９と取付基板１２を結合させることで入賞装置の組立を完成させるようにしてある。
この組立は、まず台枠１９に対して底枠２４を組付けるに当って、先に各入賞口３８、３９の装着部４０，４１に前方から検出スイッチ２２，２３を嵌め付け、その後底枠２４を嵌め入れてこれをねじ止めして組付ける。
そうした後、支軸３０を介して振り分け台１８を振り分け室１７に収めると共に、台枠１９の後方に突き出す支柱４５を利用して取付金具３１を介してソレノイド２０を固定する。そして、連結腕３４を支軸３３によって取付けるのに併せてその端部３４ａを前記振り分け台１８の突起３６に滑合させ、振り分け台１８とこれを駆動するソレノイド２０を中心とした組立を完成させる。
【００３６】
その一方、取付基板１２に対しては飛入口１３を塞ぐ開閉扉１４を支軸１５，１５の軸着により蝶着し、またこの開閉扉１４を駆動するソレノイド２１を台枠１９に取付金具４６を介して取付ける。
ソレノイド２１は、ばね４７で前方に付勢したプランジャ４８の先端を、支軸４９を介して台枠１９の側面に軸着支持する揺動板５０に対してピン５１を以て回動自由に連結し、プランジャ４８の出入りに伴って上記揺動板５０の先端（前端）が上下に揺動できるようにする。
【００３７】
前記揺動板５０は、先端を二又に形成してその凹部５２に前記開閉扉１４の右端に後方に向けて突き出す滑合片５３を受け入れ、連結することになる。
この揺動板５０と滑合片５３の連結は、取付基板１２の背面に台枠１９が固定されることに併せて行われる。そして、前記ソレノイド２１が失磁状態にあってばね４７の付勢でプランジャ４８が伸長状態にあるとき、揺動板５０の先端が下降し、前記滑合片５３を引き下して開閉扉１４を閉塞することになる。
【００３８】
図中、５４は台枠１９、つまり入賞装置１１の本体部に固定し、前記ソレノイド２１のプランジャ４８とこれに連結する揺動板５０から構成される連動部材５５を不正行為から防護するための防護板である。
この防護板５４は台枠１９の側部において露出する連動部材５５を被い隠せる広さの板形に形成してあり、下端部の内面側には台部１９に固定するための固定部５６を備えている。そして、この固定部５６に前記揺動板５２を支持する支軸４９を受けるための軸受部５７、５８を一体に備え、台部１９に対する固定に併せて上記支軸４９の軸着が行えるようにしてある。
【００３９】
図８は、防護板５４とこれの台枠１９に対する取付け関係を示したものである。プラスチックを材料に矩形の板として形成する防護板５４の内面側下端部に直角方向に腕を伸ばすように固定部５６を一体に設け、これに併せて防護板５４の内面に前方（図面において左方）に向け開口するＪ字形の隆起部を形成し支軸４９の一端を受ける軸受部５７を、そして、固定部５６の先端側から台形状に突き出す上記支軸４９の他端を受ける軸受部５８をそれぞれ設けている。
【００４０】
一方、入賞装置本体部を形成する台枠１９には前記側板２６の後端から軸受板２６ａを延設し、またこの軸受板２６ａに並行して前記特別入賞口３９の入賞球通路５９を設けるようにしてあり、前記軸受板２６ａには後端部にＵ字形に切欠いて受部６０を、そして前記通路５９の外側面には上記受部６０と向き合うように図示しないＵ字形の受部を設けるようにしてある。
上記２つの受部は、前記防護板５４に設ける２つの軸受部５７，５８と向かい合わせに対応するようにしてある。
【００４１】
前記支軸４９の軸着に際しては、先ずこの支軸４９を揺動板５０に穿つ軸受孔６１に挿通したのち、支軸４９の一端を前記受部６０に、そして通路５９の外側面に形成する受部に他端を嵌め入れ、次に、この両受部の背後を塞ぐように前記防護板５４の固定部５６を添わせる。そして、軸受板２６ａから外に突き出す支軸４９の端部を軸受部５７に受け入れ、同時に軸受部５８を図示しない通路５９の受部に当接して閉じ込める。
その後、固定部５６に穿つ透孔６２，６３にねじ６４を通してこれを軸受板２６ａの後端に設けるねじ受け孔６５、及び通路５９の後端に設ける図示しないねじ受け孔にそれぞれねじ付けて固定し、支軸４９の軸承と防護板５４の取付けを同時に完了させる。
【００４２】
図８においては、説明のためにねじ受け孔６５にねじ６４を直接ねじ込んだ姿を示しているが、防護板５４を止め付ける際は、このねじ６４を外し、前述したように透孔６２（６３）に通したのちねじ付けて固定部５６を止め付けることになる。
この様にして取付けられた防護板５４は図４、図１０に示したように連動部材５５を構成するプランジャ４８及び揺動板５０の外側方に近接して立ち上り、露出する側面を被い隠すことになる。
【００４３】
ところで、本発明の入賞装置においては、前記入賞装置の本体部となる台枠１９に対して前述の如くソレノイド２１を含む連動部材５５と防護板５４を組付けたのち、前記取付基板１２の背面に添わせてねじ止めすることにより組立てられる。
この組立によって、台枠１９の開放した振り分け室１７は前面を塞がれて横長の空間となり、取付基板１２に開設した飛入口１３を前面中央に位置させることになる。そして、これから飛入する入賞球を受け入れ、前記振り分け台１８に導くことになる。
尚、振り分け台１８は上記飛入口１３の位置より低く設置し、球の飛び込みの妨げにならないようにしてあり、また飛入する球は台１８の傾きに関係なく飛入する勢いを利用して台の端部を越えて振り分け室１７の両端に開設する一般乃至特別の入賞口３８，３９に飛入することが可能になっている。
【００４４】
図中、６６，６７は取付基板１２の前面に貼り付ける飾り板であり、６８，６９はこの飾り板の前面に備え入賞ポケット、７０，７１は各入賞ポケットに飛入した入賞球を遊技盤背後の入賞球通路（５９）に誘導する樋で、７２，７３は入賞球を検出するため樋
７０，７１に組付ける検出スイッチである。そして、７４は前方に延ばす取付支柱７５を台枠１９の背面部にねじ止めして前記２つのソレノイド２０，２１を跨ぐようにして取付ける配線基板の取付台であり、７６はソレノイド２０，２１、検出スイッチ２２，２３、７２，７３に対する給電乃至信号の交信を行う各接続コネクタを備えたプリント配線基板である。
【００４５】
本発明入賞装置１１は上述の様に構成されるもので、この入賞装置は前述した所謂大入賞口と同様に遊技盤１に配置され、ここでは可変表示装置７に連動して作動するように設定される。つまり、始動用入賞口１０へ打球が飛入し、遊技制御装置による抽選の結果、可変表示装置７に表示される図柄が「当り」を表示したとき、ソレノイド２１が励磁し、揺動板５０の揺動を介して飛入口１３の開閉扉１４が前方に向けて傾倒し開放して打球の飛入を可能にする。これと同時に他方のソレノイド２０が励磁して振り分け台１８を左上りに傾け、飛入口１３から飛入するパチンコ球を特別入賞口３９に優先的に振り向けることになる。
【００４６】
そして、上記の状態において飛入した入賞球が前記特定入賞口３９に入ることにより継続して次なる開放が確定したとき、ソレノイド２０が失磁してばね３７の付勢により連結腕３４が前方に揺動し、前記振り分け台１８を左下がりに傾けて飛入球を一般入賞口３８に向けて優先的に誘導するようになる。
一般入賞口３８に飛入した球は、検出スイッチ２２で通過数をカウントされることになり、ここで所定数、例えば１０個の通過球があったとき扉１４が閉じることになる。そして、前記継続が確保されているとき、再び扉１４が開放すると共に、ソレノイド２０が励磁して振り分け台１８を右下がりに傾倒させることになる。そして、継続がないときは閉塞のままとなる。
【００４７】
この様に遊技制御装置からの信号を受けて開閉動する扉１４は、連動部材５５の動きを通して作動することになるが、パチンコ機の前面側からピアノ線等を差し込み、上記連動部材５５を構成するプランジャ４８や揺動板５０に掛け止めて外部からこれを作動操作された場合、遊技制御とは無関係に扉１４の開閉動がなされることになる。
本発明装置は、この様な場合において、連動部材５５に近づくピアノ線を防護板５４が阻止し、外部からの不正操作を防止することから連動部材に対する不正攻撃を完全に防止することができることになる。
【００４８】
しかも、前記実施例に示したように防護板５４は、連動部材５５に近接して配置されることからピアノ線の侵入を更に確実に阻止するものとなっており、更には防護板５４の取付けを通して揺動板５０の支軸４９の取付けを行うものとしたことから細かい部所における組立を容易にしており、またこの支軸４９の組付けに利用する構造としたことから最も近接した位置に配置できるものとなっている。
【図面の簡単な説明】
【００４９】
【図１】本発明に係る入賞装置の使用状態を説明する正面図。
【図２】入賞装置の拡大正面図。
【図３】入賞装置の拡大斜視図。
【図４】入賞装置の拡大平面図。
【図５】入賞装置の分解斜視図。
【図６】図５の振り分け台の作動に関連した部分につき拡大して示した斜視図。
【図７】図５の開閉扉の作動に関連した部分につき拡大して示した斜視図。
【図８】要部を拡大して示した分解斜視図。
【図９】要部を拡大して示した分解斜視図。
【図１０】使用状態における要部の拡大斜視図である。
【符号の説明】
【００５０】
１１                本発明に係る可変入賞装置
１２                取付基板
１３                飛入口
１４                開閉扉
１７                入賞室たる振り分け室
１８                振り分け台
１８ａ              振り分け台の上面後部
１８ｂ              振り分け台の上面前部
１９                入賞装置本体部となる台枠
２６                台枠の側板
２６ａ              側板の延長した軸受板
３０                振り分け台の支軸
３８                一般入賞口
３９                特別入賞口
４２                振り分け台の前部に当る整列用通路部
４３，４４          傾斜縁部
４８                ソレノイドのプランジャ
４９                支軸
５０                揺動板
５２                揺動板の凹部
５３                開閉扉の滑合部
５４                防護板
５５                連動部材
５６                固定部
５７，５８          軸受部
５９                入賞球通路
６０                凹部
６４                防護板を止めるねじ
６５                ねじ受け孔
【図１】
0004610880.tif 000002
【図２】
0004610880.tif 000003
【図３】
0004610880.tif 000004
【図４】
0004610880.tif 000005
【図５】
0004610880.tif 000006
【図６】
0004610880.tif 000007
【図７】
0004610880.tif 000008
【図８】
0004610880.tif 000009
【図９】
0004610880.tif 000010
【図１０】
0004610880.tif 000011